(57)【要約】【課題】  キャンドルの炎を外界から防護しつつ、キャンドルの炎と煤を効果的に受け止め、煤の影響を低減せしめたキャンドル防護瓦体を提供する。【解決手段】  キャンドル防護瓦体２０は、全体がいぶし瓦素材で形成され、側面に開口２１が位置し、開口２１からキャンドル３０を内部に納めいれ、キャンドル３０の上方をいぶし瓦素材の構造片２２が覆うように配置する。いぶし瓦素材の構造片２２によりキャンドル３０から上方に上る炎と煤をいぶし瓦素材の構造片２２で受け止め、いぶし瓦素材壁面の炭素膜と煤との親和性、炭素膜の多孔質性により煤汚れを吸着せしめる。【選択図】図１
0003167672.tif 000002
【実用新案登録請求の範囲】
【請求項１】
全体がいぶし瓦素材で形成され、側面に開口が位置し、前記開口からキャンドルを内部に納めいれ、前記キャンドルの上方を前記いぶし瓦素材の構造片が覆うように配置するキャンドル防護瓦体であって、
前記いぶし瓦素材の構造片により前記キャンドルから上方に上る炎と煤を前記いぶし瓦素材の構造片で受け止め、前記いぶし瓦素材壁面の炭素膜と前記煤との親和性、前記炭素膜の多孔質性により前記煤汚れを吸着せしめるキャンドル防護瓦体。
【請求項２】
前記瓦体を全体が転置自在な形状とし、前記瓦体を適宜転置することにより前記煤を受け止める前記いぶし瓦素材の構造片部分を選択することができる請求項１に記載のキャンドル防護瓦体。
【請求項３】
多数個の前記キャンドル防護瓦体の外壁面同士を接触させて積み上げ、前記キャンドルを多数個組みいれた請求項１または２に記載のキャンドル防護瓦体。
【考案の詳細な説明】
【技術分野】
【０００１】
本考案は、キャンドルの炎を外界から防護する火屋の技術分野に関する。
【背景技術】
【０００２】
火屋の目的は、内部のキャンドルの火を風雨から守り、また、火がむき出しで燃えていると周囲の可燃性のものに火が燃え移らないようにする保護カバーとしての目的で用いられるものである。そして、キャンドルの火の灯りが周囲から見えるようにガラス等の透明素材で形成するのが基本であった。
そのため、従来技術における火屋は、透明のガラス製や耐火プラスチックなどの素材で形成されたものであった。
【０００３】
【特許文献１】特開２００２−４２５２２号公報
【考案の開示】
【考案が解決しようとする課題】
【０００４】
近年、キャンドルは生活照明で用いられることはほとんどなく、何らかの装飾用途で用いられる。キャンドルは暖かい光を発することからキャンドルをうまく組み込んだ装飾物が望まれている。
【０００５】
しかし、キャンドルは燃焼中に炎が出て、炎の熱と煤が上方に立ち上る。この熱は周囲の可燃性のものを引火させてしまうおそれもあり、また、煤は微粒子として上方に流れ、周囲のものに黒く付き溜まるものであり、この炎と煤の対策が問題となっている。
【０００６】
旧来型の生活照明でキャンドルを用いるランプ等の煤対策としては装飾性は問題とされず煤を受けるという機能に特化したいわゆるランプ上面の金属性の煤受けのようなものがあるが、装飾目的の火屋としては不向きな場合があった。
【０００７】
また、金属や耐火ガラスでは炭素である煤が溜まると煤が下方に落ち、装飾体本体に黒い煤の塊や粉が落ちやすく、本体の装飾を汚してしまうことがあった。
【０００８】
本考案は、上記従来の問題点に鑑み案出されたものであって、キャンドルの炎を外界から防護しつつ、キャンドルの炎と煤を効果的に受け止め、煤の影響を低減せしめたキャンドル防護瓦体を提供することを目的とする。
【課題を解決するための手段】
【０００９】
上記目的を達成するため、本考案のキャンドル防護瓦体は、
全体がいぶし瓦素材で形成され、側面に開口が位置し、前記開口からキャンドルを内部に納めいれ、前記キャンドルの上方を前記いぶし瓦素材の構造片が覆うように配置するキャンドル防護瓦体であって、
前記いぶし瓦素材の構造片により前記キャンドルから上方に上る炎と煤を前記いぶし瓦素材の構造片で受け止め、前記いぶし瓦素材壁面の炭素膜と前記煤との親和性、前記炭素膜の多孔質性により前記煤汚れを吸着せしめるキャンドル防護瓦体である。
【００１０】
なお、前記瓦体を全体が転置自在な形状とし、前記瓦体を適宜転置することにより前記煤を受け止める前記いぶし瓦素材の構造片部分を選択することができる。
【００１１】
また、多数個の前記キャンドル防護瓦体の外壁面同士を接触させて積み上げ、前記キャンドルを多数個組みいれた構成とすることができる。
【考案の効果】
【００１２】
本考案のキャンドル防護瓦体によれば、いぶし瓦素材の構造片でキャンドルから上方に上る炎と煤を受け止め、いぶし瓦素材壁面の炭素膜と煤との親和性により煤汚れを吸着することができる。煤汚れが下方に落ちにくくなり、また、いぶし瓦素材の色合いは煤の色合いと調和しやすく、上面付近の煤汚れが目立たず、デザイン装飾性を毀損することが少ない。また、本考案のキャンドル防護瓦体は各瓦体が転置自在であるので、適宜、瓦体を転置させることにより、一箇所に煤吸着を集中させることなく複数箇所を選択しつつ用いることができる。
また、多数個のキャンドル防護瓦体の外壁面同士を接触させて組み上げることにより多様な構造を形作ることができる。
【考案を実施するための最良の形態】
【００１３】
以下、図面を参照しつつ、本考案のキャンドル防護瓦体の実施形態を説明する。ただし、本考案の技術的範囲は以下の実施形態に示した具体的な用途や形状・寸法などには限定されない。
【実施例１】
【００１４】
実施例１として本考案のキャンドル防護瓦体の構成例を示す。
図１は、本考案のキャンドル防護瓦体の構成例を示す平面図と正面図と側面図とＡ―Ａ断面図である。端面にはハッチングを施している。
【００１５】
キャンドル防護瓦体２０は、いぶし瓦素材で形成され、側面に開口２１が位置し、キャンドル３０の上方をいぶし瓦素材の構造片２２が覆うように配置されている。
いぶし瓦素材は、瓦製造過程においていぶすことにより炭素の被膜を壁面上にコーティングしたもので、その表面の炭素皮膜は多孔質で黒い光沢を持つものである。炭素皮膜は微粒子の炭素粉である煤と親和性を持つとともに、多孔質な構造的特徴から煤を良く吸着する。また、黒い光沢を持っているので黒い煤が吸着しても概観上違和感が少なく、煤の汚れなどの装飾性に与える影響を小さくすることができる。
【００１６】
図１に示したキャンドル防護瓦体２０は側面の開口２１をぐるりと囲むようにいぶし瓦素材の構造片２２が取り囲んでいる。このいぶし瓦素材の構造片２２の内周面も外周面も炭素皮膜が形成されており、キャンドル３０の上方にあるいぶし瓦素材の構造片２２ａにより、上方に上る炎と煤を効率的に受け止める構造となっている。
つまり、煤はいぶし瓦素材の構造片２２ａ内周面の炭素皮膜により吸着され、いぶし瓦素材壁面の炭素膜と煤との親和性により煤汚れを吸着することができる。
【００１７】
この構造により煤汚れが下方に落ちにくくなり、また、いぶし瓦素材の色合いは煤の色合いと調和しやすく、上面付近の煤汚れが目立たず、デザイン装飾性を毀損することが少ないものとなっている。
【００１８】
図２は、本考案のキャンドル防護瓦体の他の構成例を示したものである。図２の例は図１に示したキャンドル防護瓦体２０を４５度傾けてひし形として用いた例である。
図２の構成例でも、キャンドル防護瓦体２０は、いぶし瓦素材で形成され、側面に開口２１が位置し、キャンドル３０の上方をいぶし瓦素材の構造片２２が覆うように配置され、内周面も外周面も炭素皮膜が形成されている。煤はいぶし瓦素材の構造片２２ａ内周面の炭素皮膜により吸着され、いぶし瓦素材壁面の炭素膜と煤との親和性により煤汚れを吸着することができるものとなっている。
【００１９】
図２（ｂ）の使用例では、キャンドル防護瓦体２０の配置を安定させるため支持台４０を用いている。
【００２０】
図３は、本考案のキャンドル防護瓦体の他の構成例を示したものである。図１と同様に正面図、平面図、側面図、Ｂ―Ｂ断面図を示している。端面にはハッチングを施している。
図３の構成例でも、キャンドル防護瓦体２０は、いぶし瓦素材で形成され、側面に開口２１が位置し、キャンドル３０の上方をいぶし瓦素材の構造片２２が覆うように配置され、内周面も外周面も炭素皮膜が形成されている。煤はいぶし瓦素材の構造片２２ａ内周面の炭素皮膜により吸着され、いぶし瓦素材壁面の炭素膜と煤との親和性により煤汚れを吸着することができるものとなっている。
図３（ｂ）の使用例では、キャンドル防護瓦体２０の配置を安定させるため支持台４０を用いている。
【実施例２】
【００２１】
実施例２は、本考案のキャンドル防護瓦体のキャンドル防護瓦体２０を、全体が転置自在なものであり、適宜転置して天地を変えることができる例である。
本考案のキャンドル防護瓦体のキャンドル防護瓦体２０は、いぶし瓦素材の構造片によりキャンドルから上方に上る炎と煤で受け止め、いぶし瓦素材壁面の炭素膜と煤との親和性により煤汚れを吸着させるものであるが、本実施例２では、瓦体を適宜転置することにより煤を受け止めるいぶし瓦素材の構造片部分を選択することができるキャンドル防護瓦体となっている。
【００２２】
このようにキャンドル防護瓦体２０を転置自在な形状とし、キャンドル防護瓦体２０を適宜転置することにより、煤を受け止めるいぶし瓦素材の構造片部分２２ａを選択することができる。
【００２３】
例えば、キャンドル防護瓦体２０は側面の開口２１をぐるりと囲むようにいぶし瓦素材の構造片２２が取り囲んでいるものであれば、図４のように適宜天地を転置することによりキャンドル防護瓦体２０の内周面の複数箇所を煤を受け止めるいぶし瓦素材の構造片部分として選択できるので、キャンドル防護瓦体２０の使用寿命を長くすることができ、いぶし瓦素材の構造片部分の清掃負担を低減することができる。
【００２４】
図１、図２、図３に示したいずれの形状であっても転置自在な形状となっており、側面の開口２１をぐるりと囲むようにいぶし瓦素材の構造片２２が取り囲んでおり、適宜転置することによりキャンドル防護瓦体２０の内周面の複数箇所を煤を受け止めるいぶし瓦素材の構造片部分として選択できるものとなっている。
また、多数個のキャンドル防護瓦体１０の外壁面同士を接触させて積み上げ、キャンドルを多数個組みいれた構成とすることもできる。
【００２５】
図５、図６は、多数個のキャンドル防護瓦体２０を組み上げた構成例である。
なお、装飾性を高めるため、キャンドル防護瓦体２０の一部に模様を構成する模様孔２３を設けることも可能である。模様孔２３の形状は多種多様なものが可能である。
【００２６】
図７の例では一例として花柄模様となっている。
【００２７】
なお、キャンドル防護瓦体２０の瓦素材としては「淡路いぶし瓦」を用いることが好ましい。「淡路いぶし瓦」は美しい光沢を持っているので視覚的な癒し効果が注目されているが、電磁波の吸収能力や反射能力があることが確認されており、人体に有害と言われる電磁波を低減させる効果もある。本考案のキャンドル防護瓦体の瓦素材として「淡路いぶし瓦」を使用することにより視覚的な癒し効果と電磁波低減効果が得られる。
【００２８】
以上、本考案のキャンドル防護瓦体における好ましい実施例を図示して説明してきたが、本考案の技術的範囲を逸脱することなく種々の変更が可能であることは理解されるであろう。
【産業上の利用可能性】
【００２９】
本考案はキャンドルの火に対するカバーである火屋に対して広く適用することができる。
【図面の簡単な説明】
【００３０】
【図１】本考案のキャンドル防護瓦体２０の構成例を示す図
【図２】本考案のキャンドル防護瓦体２０の他の構成例を示す図
【図３】本考案のキャンドル防護瓦体２０の他の構成例を示す図
【図４】本考案のキャンドル防護瓦体２０の適宜天地を転置する様子を模式的に示す図
【図５】多数個のキャンドル防護瓦体２０を組み上げた構成例を示す図
【図６】多数個のキャンドル防護瓦体２０を組み上げた構成例を示す図
【図７】模様孔２３を持つキャンドル防護瓦体の構成例を示す図
【符号の説明】
【００３１】
２０  キャンドル防護瓦体
２１  開口部
２２  いぶし瓦素材の構成片
２３  模様孔
３０  キャンドル
４０  支持台
【図１】
0003167672.tif 000003
【図２】
0003167672.tif 000004
【図３】
0003167672.tif 000005
【図４】
0003167672.tif 000006
【図５】
0003167672.tif 000007
【図６】
0003167672.tif 000008
【図７】
0003167672.tif 000009